(57)【要約】【課題】撮影画像の画質低下を抑える。【解決手段】ＣＣＤイメージセンサに与える駆動パルスの周波数を、２段階に切替可能にする。設定されたＩＳＯ感度が基準のＩＳＯ感度よりも高い場合（言い換えると、設定されたゲインが基準のゲインよりも大きい場合）には、駆動パルスの周波数を低く（例えば、１８ＭＨｚ）設定する。一方、設定されたＩＳＯ感度が基準のＩＳＯ感度以下の場合には、駆動パルスの周波数を高く（例えば、３６ＭＨｚ）設定する。【選択図】        図４
2006295722.tif 000002
【特許請求の範囲】
【請求項１】
被写体像を光電変換して撮像信号を得る撮像素子を備えた撮影装置において、
前記撮像信号の増幅率を変えて撮像系のＩＳＯ感度を変化させる感度設定手段と、
前記感度設定手段によって設定されたＩＳＯ感度に基づいて、前記撮像素子を駆動する駆動パルスの周波数を変化させる周波数設定手段と、
前記周波数設定手段によって設定された周波数の駆動パルスを発生して前記撮像素子を駆動する駆動パルス発生手段とを備えたことを特徴とする撮影装置。
【請求項２】
前記周波数設定手段は、前記駆動パルスの周波数を２段階に切り替えることが可能であり、前記感度設定手段によって設定されたＩＳＯ感度が所定のＩＳＯ感度より高い場合に、前記駆動パルスの周波数を低く設定することを特徴とする請求項１記載の撮影装置。
【請求項３】
撮像素子を備えた撮影装置において、
撮影環境における色温度を検出する色温度検出手段と、
前記色温度検出手段によって検出された色温度に基づいて、前記撮像素子を駆動する駆動パルスの周波数を変化させる周波数設定手段と、
前記周波数設定手段によって設定された周波数の駆動パルスを発生して前記撮像素子を駆動する駆動パルス発生手段とを備えたことを特徴とする撮影装置。
【請求項４】
前記周波数設定手段は、前記駆動パルスの周波数を２段階に切り替えることが可能であり、前記色温度検出手段によって検出された色温度が、第１の色温度よりも高い場合、及び前記第１の色温度よりも低い第２の色温度よりも低い場合に、前記駆動パルスの周波数を低く設定することを特徴とする請求項３記載の撮影装置。
【請求項５】
被写体像を光電変換して撮像信号を得る撮像素子を用いて撮像を行う撮像方法において、
前記撮像信号の増幅率を変えて設定される撮像系のＩＳＯ感度に基づいて、前記撮像素子を駆動する駆動パルスの周波数を変化させることを特徴とする撮像方法。
【請求項６】
撮像素子を用いて撮像を行う撮像方法において、
撮影環境における色温度を検出し、
検出した色温度に基づいて、前記撮像素子を駆動する駆動パルスの周波数を変化させることを特徴とする撮像方法。
【発明の詳細な説明】
【技術分野】
【０００１】
本発明は、撮像素子を備えた撮影装置及び撮像方法に関する。
【背景技術】
【０００２】
被写体像を撮像信号に変換する撮像素子を備えたデジタルカメラが普及している。デジタルカメラに用いられる撮像素子は、処理スピードアップが要求され、同時に、高画素化、高感度化、小型化なども要求されている。
【０００３】
撮像素子は駆動パルスが与えられて駆動するが、この駆動パルスの周波数を高くすることにより処理スピードを早くすることができる。しかしながら、駆動パルスの周波数を高くすると電力消費量が大きくなり、電荷蓄積量が少なくなることが知られており、これらに対処するため状況に応じて駆動パルスの周波数を変化させる技術が知られている（例えば、特許文献１、２参照）。
【０００４】
特許文献１に記載されたデジタルカメラは、カメラシステムの動作に必要なクロックを生成するクロック生成手段と、クロックに従ってシステムを制御する制御手段と、制御手段による制御シーケンスに従いシステムの処理内容に応じてクロックの周波数を切り替えるクロック周波数切替手段とを備えている。例えば、シャッタボタン操作時には処理能力が要求されることからクロック周波数を最高速にし、スルー画表示時にはクロック周波数を中速にするなどし、システムの電力消費量を抑えている。
【０００５】
特許文献２に記載された撮像装置は、外部測距素子及び撮像素子を備えており、撮像素子の露光量が低輝度限界以下になった場合に、外部測距素子の出力レベルに合わせて撮像素子の駆動周波数を低速モードにしている。これにより、撮像素子の電荷蓄積時間を長くして、暗い環境下でも適正なモニタリング像を出力することができるようにしている。
【特許文献１】特開２００３−６０９６４号公報
【特許文献２】特開２００４−２２８６０６号公報
【発明の開示】
【発明が解決しようとする課題】
【０００６】
撮像素子に与える駆動パルスの周波数を高くした場合には、上記各特許文献に記載された問題以外にも、撮像素子の転送効率が劣化する問題が生じることが分かった。この撮像素子の転送効率の劣化は、ＩＳＯ感度が高く設定されたときや、撮影環境の色温度が高い又は低いときに、視認可能なレベルになり撮影画像の画質低下を引き起こすことも分かった。
【０００７】
本発明は、撮像素子の転送効率が劣化することに伴う撮影画像の画質低下を抑えることを目的とする。なお、撮像素子の転送効率が劣化することに伴う撮影画像の画質低下を抑えることができれば、撮像素子に要求される性能の水準が緩和され、撮像素子の製造時における歩留まりが改善される。
【課題を解決するための手段】
【０００８】
本発明は、被写体像を光電変換して撮像信号を得る撮像素子を備えた撮影装置に関し、前記撮像信号の増幅率を変えて撮像系のＩＳＯ感度を変化させる感度設定手段と、前記感度設定手段によって設定されたＩＳＯ感度に基づいて、前記撮像素子を駆動する駆動パルスの周波数を変化させる周波数設定手段と、前記周波数設定手段によって設定された周波数の駆動パルスを発生して前記撮像素子を駆動する駆動パルス発生手段とを備えたことを特徴とする。
【０００９】
前記周波数設定手段は、前記駆動パルスの周波数を２段階に切り替えることが可能であり、前記感度設定手段によって設定されたＩＳＯ感度が所定のＩＳＯ感度より高い場合に、前記駆動パルスの周波数を低く設定することが好ましい。
【００１０】
本発明は、撮像素子を備えた撮影装置に関し、撮影環境における色温度を検出する色温度検出手段と、前記色温度検出手段によって検出された色温度に基づいて前記撮像素子を駆動する駆動パルスの周波数を変化させる周波数設定手段と、前記周波数設定手段によって設定された周波数の駆動パルスを発生して前記撮像素子を駆動する駆動パルス発生手段とを備えたことを特徴とする。
【００１１】
前記周波数設定手段は、前記駆動パルスの周波数を２段階に切り替えることが可能であり、前記色温度検出手段によって検出された色温度が、第１の色温度よりも高い場合、及び前記第１の色温度よりも低い第２の色温度よりも低い場合に、前記駆動パルスの周波数を低く設定することが好ましい。
【００１２】
本発明は、被写体像を光電変換して撮像信号を得る撮像素子を用いて撮像を行う撮像方法に関し、前記撮像信号の増幅率を変えて設定される撮像系のＩＳＯ感度に基づいて、前記撮像素子を駆動する駆動パルスの周波数を変化させることを特徴とする。
【００１３】
本発明は、撮像素子を用いて撮像を行う撮像方法に関し、撮影環境における色温度を検出し、検出した色温度に基づいて前記撮像素子を駆動する駆動パルスの周波数を変化させることを特徴とする。
【発明の効果】
【００１４】
本発明の撮影装置によれば、撮像信号の増幅率を変えて撮像系のＩＳＯ感度を変化させる感度設定手段と、感度設定手段によって設定されたＩＳＯ感度に基づいて撮像素子を駆動する駆動パルスの周波数を変化させる周波数設定手段と、周波数設定手段によって設定された周波数の駆動パルスを発生して撮像素子を駆動する駆動パルス発生手段とを備えたので、ＩＳＯ感度が高く設定された場合に、駆動パルスの周波数を低く設定して撮像素子の転送効率を向上させることができるため、撮影画像の画質低下を抑えることができる。
【００１５】
本発明の撮影装置によれば、撮影環境における色温度を検出する色温度検出手段と、色温度検出手段によって検出された色温度に基づいて、撮像素子を駆動する駆動パルスの周波数を変化させる周波数設定手段と、周波数設定手段によって設定された周波数の駆動パルスを発生して撮像素子を駆動する駆動パルス発生手段とを備えたので、色温度が高いまたは低い場合であっても、駆動パルスの周波数を低く設定して撮像素子の転送効率を向上させることができるため、撮影画像の画質低下を抑えることができる。
【００１６】
本発明の撮像方法によれば、撮像信号の増幅率を変えて設定される撮像系のＩＳＯ感度に基づいて、撮像素子を駆動する駆動パルスの周波数を変化させるので、ＩＳＯ感度が高く設定された場合であっても、駆動パルスの周波数を低く設定して撮像素子の転送効率を向上させることができるため、撮影画像の画質低下を抑えることができる。
【００１７】
本発明の撮像方法によれば、撮影環境における色温度を検出し、検出した色温度に基づいて撮像素子を駆動する駆動パルスの周波数を変化させるので、色温度が高いまたは低い場合であっても、駆動パルスの周波数を低く設定して撮像素子の転送効率を向上させることができるため、撮影画像の画質低下を抑えることができる。
【発明を実施するための最良の形態】
【００１８】
［第１実施形態］
図１、図２に示すように、デジタルカメラ１０の前面には、撮影レンズ１１、ストロボ発光部１２，光学ファインダ１３の対物窓１３ａ，レンズバリア１４が設けられている。レンズバリア１４は、撮影レンズ１１、ストロボ発光部１２を覆う閉じ位置と、これらの前面から退避して撮影可能な開き位置との間でスライド自在にされている。
【００１９】
撮影レンズ１１の奧には、ＣＣＤイメージセンサ１５（図３参照）が配されている。ＣＣＤイメージセンサ１５で撮像された被写体像は、デジタルカメラ１０の背面に設けられたＬＣＤ１６に、いわゆるスルー画像として表示される。また、背面には光学ファインダ１３の接眼窓１３ｂが設けられている。ＬＣＤ１６に表示されるスルー画像を観察する他に、光学ファインダ１３を用いてフレーミングを行うことができる。
【００２０】
デジタルカメラ１０の上面には、レリーズボタン１８が設けられている。このレリーズボタン１８は、２段階押しとなっており、レリーズボタン１８を軽く押圧して半押し位置とすると、自動露出調整（ＡＥ）、自動焦点調整（ＡＦ）等の各種撮影条件の設定、すなわち撮影準備処理が行われる。撮影準備処理が完了すると、その設定はレリーズボタン１８の押圧を解除するまで保持される。レリーズボタン１８を半押し位置からさらに押し込んで全押し位置とすると、撮影準備処理で設定された撮影条件で静止画の撮影が行われる。この撮影で得られる１画面分の撮像信号は、画像データに変換されて、メモリカードスロット２１に装着されたメモリカード２２に記録される。
【００２１】
デジタルカメラ１０の背面には、ＬＣＤ１６のほかに、電源のオン／オフ切替えを行う電源スイッチ２４、撮影レンズ１１をズーミングするズーム操作部２５、各種モードを選択するモード切替スイッチ２６、再生画像の選択やＬＣＤ１６に表示される設定画面で各種の設定の変更などの操作を行う操作キー２７が設けられている。
【００２２】
モード切替スイッチ２６の操作によって選択される動作モードとしては、静止画撮影を行う撮影モード、メモリカード２２に記録されている静止画像をＬＣＤ１６に表示する再生モード、および各種設定を行うセットアップモードなどがある。これら各動作モードは、モード切替スイッチ２６をスライド操作させることで、切替可能である。
【００２３】
操作キー２７を操作することにより、ＩＳＯ感度の設定モードを選択することが可能である。ＩＳＯ感度の設定モードとしては、手動モードと、自動モードとのいずれかを選択することができる。手動モードを選択した場合には、ＬＣＤ１６に表示されたＩＳＯ感度の数値（例えば、１００，２００，４００，８００等）の中から好みのものを設定する。一方、自動モードを選択した場合には、被写体像に基づいて自動的にＩＳＯ感度が設定される。ＩＳＯ感度が設定されると、このＩＳＯ感度に応じて、後述するゲイン設定部（図３参照）でアンプのゲイン（増幅率）が設定される。
【００２４】
上記デジタルカメラ１０の電気的構成を図３に示す。ＣＰＵ３０には、ＲＯＭ３１，ＲＡＭ３２が接続されている。ＲＯＭ３１には、各種シーケンスを実行するためのプログラムやパラメータが書き込まれている。ＣＰＵ３０は、レリーズボタン１８，ズーム操作部２５，モード切替スイッチ２６，操作キー２７の操作に応答し、ＲＯＭ３１のプログラムにしたがって各部を制御する。ＲＡＭ３１は、撮影シーケンスなどを実行する際に必要なデータを一時的に記憶するワークメモリとして利用される。
【００２５】
撮影レンズ１１とＣＣＤイメージセンサ１５との間には絞り３４が配されている。撮影レンズ１１，絞り３４には、レンズモータ３６，アイリスモータ３７が接続されている。これらのモータ３６，３７は、ＣＰＵ３０に接続されたモータドライバ３８，３９を介して制御される。レンズモータ３６は、ズーム操作部２５の操作に連動して撮影レンズ１１をワイド側あるいはテレ側にズーミングする他、撮影レンズ１１のピント調節を行う。絞り３４は、アイリスモータ３７によって動作され、ＣＣＤイメージセンサ１５への入射光の光強度を調節する。
【００２６】
ＣＣＤイメージセンサ１５には、タイミングジェネレータ（駆動パルス発生手段）４１が接続されている。このタイミングジェネレータ４１は、ＣＣＤイメージセンサ１５を駆動する駆動パルスを生成するものであり、この駆動パルスの周波数は高い周波数（例えば、３６ＭＨｚ）と低い周波数（例えば、１８ＭＨｚ）のいずれかに設定される。駆動パルスの周波数の切り替えは周波数設定部４０によって行われる。
【００２７】
周波数設定部４０は、設定されたＩＳＯ感度が基準のＩＳＯ感度よりも高い場合（言い換えると、設定されたゲインが基準のゲインよりも大きい場合）に、駆動パルスの周波数を低い周波数に設定し、設定されたＩＳＯ感度が基準のＩＳＯ感度以下の場合（言い換えると、設定されたゲインが基準のゲイン以下の場合）に、駆動パルスの周波数を高い周波数に設定する。なお、通常は高い周波数に設定されている。
【００２８】
ＣＣＤイメージセンサ１５では、ＴＧ４１からの駆動パルスに基づいて、電荷蓄積時間、すなわち電子シャッタのシャッタ速度の制御や、電荷の転送等の動作を行い、撮影レンズ１１を透過した被写体像を電気的な撮像信号に変換して出力する。
【００２９】
ＣＣＤイメージセンサ１５から出力された撮像信号は、ＣＤＳ（相関二重サンプリング）回路４７に入力されてノイズ除去された後、アンプ４８に入力されて増幅される。アンプ４８のゲインは、ゲイン設定部（感度設定手段）４９で、ＩＳＯ感度に応じて設定される。
【００３０】
アンプ４８で増幅された撮像信号は、Ａ／Ｄ変換器４３でデジタル変換されて画像データとされる。なお、ＣＤＳ回路４７，アンプ４８，及びＡ／Ｄ変換器４３は、ＣＣＤイメージセンサ１５と同期して動作する。
【００３１】
Ａ／Ｄ変換器４３からの画像データは、画像入力コントローラ４５に送られる。画像入力コントローラ４５は、バス４６への画像データの入力を制御する。バス４６には、ＣＰＵ３０や画像入力コントローラ４５等が接続されており、このバス４６に接続された各部は、バス４６を介してＣＰＵ３０に制御されるとともに、相互間でデータの授受を行うことが可能になっている。
【００３２】
ＡＦ検出部５１は、撮影レンズ１１のピント合せのために、画像入力コントローラ４５からの画像データを用いて被写体画像のコントラストを検出し、そのコントラスト情報をＣＰＵ３０に送る。ＣＰＵ３０は、コントラスト情報を参照し、被写体画像のコントラストが最大となるように、モータドライバ３８を介してレンズモータ３１を駆動することで、撮影レンズ１１のピントを被写体に合致させる。
【００３３】
ＡＥ検出部５２は、画像入力コントローラ４５からの画像データに基づいて、被写体画像の輝度の検出を行い、その結果を輝度情報としてＣＰＵ３０に送る。ＣＰＵ３０は、輝度情報に基づいて適正となる絞り，電子シャッタのシャッタ速度を決定し、これらで撮影が行われるように制御する。また、ＣＰＵ３０は、ＩＳＯ感度の設定モードが自動モードに設定されている場合に、被写体画像の各色の輝度に基づいて、ＩＳＯ感度を算出し設定する。ゲイン設定部４９では、設定されたＩＳＯ感度に応じたゲインを算出し、このゲインをアンプ４８に設定する。
【００３４】
ＡＷＢ検出部５３は、画像入力コントローラ４５からの画像データに基づいて被写体画像の各色の輝度を検出し、この各色の輝度情報に基づいて各色のＷＢゲインを算出する。算出されたＷＢゲインは、画像データ処理部５４に設定される。画像データ処理部５４は、画像データに対して、ホワイトバランスの補正処理，ガンマ補正等を行う。
【００３５】
圧縮伸長処理部５６は、画像データをメモリカード２２に記録するためのデータ圧縮と、メモリカード２２から読み出した圧縮された画像データの伸長を行う。メディアコントローラ５７は、メモリカード２２のデータの書き込み及び読み出しを制御する。レリーズボタン１８の操作に応答して得られる静止画の画像データは、画像データ処理部５４，圧縮伸長処理部５６でそれぞれ処理が施されてから、メディアコントローラ５７に送られて、メモリカード２２に書き込まれる。
【００３６】
ＳＤＲＡＭ５８には、ＬＣＤ１６に表示すべき画像データが書き込まれる。撮影モード下におけるスルー画像表示の際には、画像入力コントローラ４５から入力される画像データが画像データ処理部５６で処理された後にＳＤＲＡＭ５８に次々に書き込まれ、これをＬＣＤドライバ５９が読み出してＬＣＤ１６を駆動する。
【００３７】
また、再生モード下では、メモリカード２２から読み出され、圧縮伸長処理部２４で伸長処理が行われた画像データがＳＤＲＡＭ５８に書き込まれ、これがＬＣＤドライバ５９によって繰り返し読み出されることにより、メモリカード２２に記録されている画像がＬＣＤ１６に表示される。
【００３８】
以下、上記構成による作用について図４のフローチャートを用いて説明する。撮影を行う前に、モード切替スイッチ２６を操作してセットアップモードに設定する。ＬＣＤ１６には各種設定条件が表示されるので、このＬＣＤ１６を見ながら操作キー２７を操作して、ＩＳＯ感度の設定モードを手動モードまたは自動モードのいずれかに設定する。手動モードに設定した場合には、ＩＳＯ感度を好みの数値に設定する。
【００３９】
モード切替スイッチ２６を操作して撮影モードに設定すると、撮影が可能な状態になる。レリーズボタン１８を半押しすると、ＣＰＵ３０でＩＳＯ感度の設定モードがいずれのモードに設定されているかが判断される。
【００４０】
手動モードに設定されていると判断された場合には、まず、周波数設定部４０で、設定されたＩＳＯ感度と基準のＩＳＯ感度とが比較（言い換えると、設定されたゲインと基準のゲインとが比較）される。設定されたＩＳＯ感度のほうが高いときには、ＣＣＤイメージセンサ１５に与える駆動パルスが高い周波数に設定され、設定されたＩＳＯ感度のほうが低いときには、駆動パルスが低い周波数に設定される。この後、ＡＥ動作及びＡＦ動作が行われる。
【００４１】
一方、自動モードに設定されていると判断された場合には、まず、ＡＥ動作及びＡＦ動作が行われる。ＡＥ動作の過程で被写体の輝度が算出され、この輝度に基づいて適正なＩＳＯ感度が自動で算出され設定される。この後、周波数設定部４０で、設定されたＩＳＯ感度と基準のＩＳＯ感度とが比較される。設定されたＩＳＯ感度のほうが高いときには、ＣＣＤイメージセンサ１５に与える駆動パルスが高い周波数に設定され、設定されたＩＳＯ感度のほうが低いときには、駆動パルスが低い周波数に設定される。
【００４２】
レリーズボタンを全押しすると、設定された周波数の駆動パルスによりＣＣＤイメージセンサ１５が駆動し、撮影動作が行われる。撮影された画像は各種処理が施され、画像データとしてメモリカード２２に記録される。
【００４３】
このように、本発明によれば、ＩＳＯ感度が高く設定された場合に、ＣＣＤイメージセンサ１５に与える駆動パルスの周波数を低くするので、ＣＣＤイメージセンサ１５の転送効率が向上し、撮影画像の画質低下が生じることはない。なお、ＩＳＯ感度が高く設定されていない場合には、ＣＣＤイメージセンサ１５の転送効率の劣化が多少あるときでも、この転送効率の劣化に伴う撮影画像の画質低下は特に目立つものとはならない。
【００４４】
上記第１実施形態では、ＩＳＯ感度が自動で設定される場合に、撮像素子から出力される撮像信号に基づいて被写体の輝度を算出し、この被写体の輝度に基づいて適正なＩＳＯ感度を算出し設定したが、撮影装置に被写体の輝度を検出する外部センサを設け、この外部センサからの出力信号に基づいて適正なＩＳＯ感度を算出し設定してもよい。
［第２実施形態］
上記第１実施形態とは異なる形態の撮影装置を第２実施形態に示す。第２実施形態の説明においては、第２実施形態と同様の構成要素に関しては同一の符号を付し、その説明を省略する。
【００４５】
図５のブロック図に示すように、第２実施形態のデジタルカメラ１００は、第１実施形態のＡＷＢ検出部５３の替わりにＡＷＢ検出部１０１を用い、また周波数設定部４０の替わりに周波数設定部１０２を用いている。
【００４６】
ＡＷＢ検出部１０１は、第１実施形態のＡＷＢ検出部５３の機能に加えて、撮影環境における色温度を検出する機能を有する。撮影環境における色温度は、画像入力コントローラ４５からの画像データに基づいて検出される。検出された撮影環境における色温度情報は、ＣＰＵ３０を介して周波数設定部１０２へと送られる。
【００４７】
周波数設定部１０１は、検出された色温度が、第１基準色温度よりも高い場合に、駆動パルスの周波数を低い周波数に設定する。また、検出された色温度が、第１基準色温度よりも低い温度に設定された第２基準色温度よりも低い場合に、駆動パルスの周波数を低い周波数に設定する。検出された色温度が、第２基準色温度以上で第１基準色温度以下である場合には、駆動パルスの周波数を高い周波数に設定する。
【００４８】
以下、上記構成による作用について図６のフローチャートを用いて説明する。モード切替スイッチ２６を操作して撮影モードに設定すると、撮影が可能な状態になる。レリーズボタン１８を半押しすると、ＡＥ動作、ＡＦ動作、ＡＷＢ動作が行われる。
【００４９】
ＡＷＢ動作の過程で撮影環境における色温度が検出される。周波数設定部１０２において、検出された色温度と第１基準色温度及び第２基準色温度とが比較され、駆動パルスの周波数が、高い周波数または低い周波数のいずれかに設定される。
【００５０】
レリーズボタンを全押しすると、設定された周波数の駆動パルスによりＣＣＤイメージセンサ１５が駆動し、撮影動作が行われる。撮影された画像は各種処理が施され、画像データとしてメモリカード２２に記録される。
【００５１】
このように、本発明によれば、撮影環境における色温度が高いまたは低い場合に、ＣＣＤイメージセンサ１５に与える駆動パルスの周波数が低くされるので、ＣＣＤイメージセンサ１５の転送効率が向上し、撮影画像の画質低下が生じることはない。なお、撮影環境における色温度が中程度である場合には、ＣＣＤイメージセンサ１５の転送効率の劣化が多少あるときでも、この転送効率の劣化に伴う撮影画像の画質低下は特に目立つものとはならない。
【００５２】
なお、上記第１実施形態では、設定されたＩＳＯ感度に基づいて駆動パルスの周波数を切り替え、上記第２実施形態では、検出された色温度に基づいて駆動パルスの周波数を切り替えたが、設定されたＩＳＯ感度及び検出された色温度の両方に基づいて駆動パルスの周波数を切り替えることにしてもよい。すなわち、設定されたＩＳＯ感度が基準ＩＳＯ感度よりも高い場合、または、検出された色温度が第１基準色温度よりも高いか第２基準色温度よりも低い場合に、駆動パルスの周波数を低く設定するようにしてもよい。
【００５３】
上記実施形態（第１実施形態及び第２実施形態）では、撮像素子に与える駆動パルスの周波数を２段階の間で切り替えることにしたが、３段階以上の複数段階の間で切り替えることにしてもよい。
【００５４】
上記実施形態では、デジタルカメラを例に挙げて説明を行ったが、本発明は、ビデオカメラ等の各種撮影装置にも適用することができる。また、上記実施形態では、撮像素子としてＣＣＤイメージセンサを用いて説明を行ったが、ＣＣＤイメージセンサ以外の撮像素子を用いてもよい。
【図面の簡単な説明】
【００５５】
【図１】デジタルカメラの正面斜視図である。
【図２】デジタルカメラの背面斜視図である。
【図３】デジタルカメラの電気的構成を示すブロック図である。
【図４】駆動パルスの周波数設定に関する手順を示す説明図である。
【図５】第２の実施形態に係るデジタルカメラの電気的構成を示すブロック図である。
【図６】第２の実施形態に係る駆動パルスの周波数設定に関する手順を示す説明図である。
【符号の説明】
【００５６】
１０，１００  デジタルカメラ
１５  ＣＣＤイメージセンサ
４０，１０２  周波数設定部
４１  タイミングジェネレータ
５３，１０１  ＡＷＢ検出部
【図１】
2006295722.tif 000003
【図２】
2006295722.tif 000004
【図３】
2006295722.tif 000005
【図４】
2006295722.tif 000006
【図５】
2006295722.tif 000007
【図６】
2006295722.tif 000008